(57)【要約】【課題】投影光或いは撮影光の光路に光の進行方向と同一方向に開閉する光量規制羽根を正確に開閉制御可能であり、簡単な構造の光量調整装置を提供する。【解決手段】投影光などの光路を挟んで一対の基板を対向配置し、この一対の基板に光量規制羽根を上記光路中の光量を規制するように開閉自在に支持する。そして上記光量規制羽根は、少なくとも１枚の羽根部材で構成し、該羽根部材は上記一対の基板に回動可能に支持された回転支軸に上記光路中の光の進行方向と同一方向に開閉動するように支持する。また上記羽根部材の回転支軸には該回転支軸を揺動回転する受動アームを設ける。一方駆動手段には駆動回転軸とこの駆動回転軸に連結された駆動アームを設ける。【選択図】図４
2007079305.tif 000002
【特許請求の範囲】
【請求項１】
投影光若しくは投影光などの光路を挟んで対向配置された一対の基板と、
上記一対の基板に開閉自在に支持され、上記光路中の光量を規制する光量規制羽根と、
上記光量規制羽根を開閉動する駆動手段と、を備えた光量調整装置であって、
上記光量規制羽根は、少なくとも１枚の羽根部材で構成され、
該羽根部材は上記一対の基板に回動可能に支持された回転支軸に上記光路中の光の進行方向と同一方向に開閉動するように支持され、
上記羽根部材の回転支軸には該回転支軸を揺動回転する受動アームが設けられ、
上記駆動手段には駆動回転軸と、この駆動回転軸に連結された駆動アームとが備えられ、
上記駆動アームは上記基板に往復動するように摺動可能に支持されたスライドプレートに一方に設けられたピン部材と、他方に設けられたスリット溝とで駆動アームの回転でスライドプレートが略々直線運動するように係合連結され、
このスライドプレートと上記受動アームとは、一方に設けられたピン部材と他方に設けられたスリット溝とでスライドプレートの直線運動で受動アームが回転するように係合連結されていることを特徴とする光量調整装置。
【請求項２】
前記光量規制羽根は、前記光路を分割する一対の羽根部材で構成され、
この一対の羽根部材は、それぞれ前記基板に回動可能に支持された回転支軸に上記光路中の光の進行方向と同一方向に開閉動するように支持され、
前記受動アームは上記羽根部材のそれぞれの回転支軸に設けられ、
上記各受動アームと前記スライドプレートとは、それぞれの受動アームが相反方向に回転するように係合連結され、
上記一対の羽根部材はそれぞれの回転支軸を中心に相反方向に回動することを特徴とする請求項１に記載の光量調整装置。
【請求項３】
前記スライドプレートは前記駆動アームに連結され相反方向に略々直線運動する２つのプレート部材で構成され、
前記駆動アームと前記受動アームとは、それぞれ上記２つのプレート部材に距離を隔てた２点で係合連結され、
前記一対の羽根部材は、前記回転支軸を中心に相反方向に開閉自在であることを特徴とする請求項２に記載の光量調整装置。
【請求項４】
前記駆動手段は駆動回転軸と外周にＮ−Ｓ磁極を有する磁石ロータと、
上記磁石ロータの外周に駆動磁界を生起する励磁コイルとから構成され、
前記駆動アームは上記磁石ロータの駆動回転軸に設けられていることを特徴とする請求項１乃至３の何れかの項に記載の光量調整装置。
【請求項５】
映像を形成する像形成手段と、
光源からの光を上記像形成手段に照射して投射する投影光路と、
上記投影光路に配置され、該投影光路中の光量を規制する光量調整装置を備え、
上記光量調整装置は請求項１乃至４の何れかの項に記載の構成を備えていることを特徴とするプロジェクタ装置。
【発明の詳細な説明】
【技術分野】
【０００１】
本発明は、カメラ装置、投影装置などの光学機器に内蔵され、撮影光若しくは投影光の光量を調整する光量調整装置および液晶パネルなどの画像形成手段で形成した画像を投影レンズでスクリーン上に投影するプロジェクタ装置に関する。
【背景技術】
【０００２】
一般に液晶プロジェクタ装置などの光映像をスクリーン上に投影する装置は、コンピュータ、テレビなどの画像機器に接続され、これ等の画像機器から出力された映像を投射レンズでスクリーン上に投影する装置として広く使用され、また近年ではリアプロジェクションＴＶとしても広く普及している。このようなプロジェクタ装置で投影した光画像は使用する環境によって眩しく感ずるか或いは逆に暗く感ずることがある。その原因は例えば暗い場所で使用する人間の瞳孔が開いている状態で急に明るい映像にすると光を実際より強く感ずる為であり、逆に明るい場所ではスクリーンの画面を暗く感ずる等周囲の明るさによる見易さが問題となる。また、リアプロジェクションＴＶ等で動画を鑑賞する場合に画像のコントラストを調整して、例えば投影光を絞り込むことで暗いシーンをより暗く表現する等そのシーンに対応して光量を調整することが要求されている。
【０００３】
そこで従来このような投影光量を調節する方法として、液晶パネル等に照射する光源自体の明るさを調節する方法や、液晶パネルに印加するバイアス電圧を調節する方法が例えば特許文献１などに開示されている。ところが液晶パネルに印加する電圧を調節すると液晶パネルは電圧と透過率との間に特有の関係があり、映像の色合いが変化する問題が生ずる。これは電圧を変更すると明るさと同時に赤青緑（３原色）の色合いが変化してしまう為であり、均等に変化するように電圧をコントロールすることは至難とされている。そこで投影レンズで投射する光量を板状羽根部材で調節してスクリーン画像の明るさを一定に調節することが例えば特許文献２で提案されている。同文献には一対の羽根部材を重ね合わせ、この羽根部材で光路の開口を大小に調節することによってスクリーン上の画像の明るさを調節することが開示されている。
【特許文献１】特開２０００−０２８９８８号公報
【特許文献２】特開２００４−３２５７４５号公報
【発明の開示】
【発明が解決しようとする課題】
【０００４】
上述の特許文献２のように光路と直交する基板に複数の羽根部材を重ね合わせて配置し、この羽根部材を相反方向に移動させることによって光路を通過する光量を大小に調節する装置にあっては互いに重ね合わせた羽根部材の隙間から光が漏れ易く光量斑を起こす問題がある。同時に上述のプロジェクタ装置のように変化する画像の輝度に応じて光量調節しようとすると羽根部材を瞬時に開閉しなければならず動作音が大きく、また羽根相互の摩擦負荷が大きく開閉速度（応答性）に問題が生ずる。更に光路と直交する基板に配置した駆動装置とその伝動機構は光路の光を受けて高温となり各構成部品が変形する問題が生ずる。例えば通常の投影装置では光源からの光は１５０度乃至２００度に達し、駆動装置或いはその伝動機構（伝動レバーなど）を構成する部品を変形させる恐れがある。
【０００５】
そこで本発明は、プロジェクタ装置のような光学光路が光の進行方向に比較的長く構成される場合には光量を調整する羽根部材を光路方向に扉状に開閉することによって上記の問題を解決し得るとの知見に基づき光路の側縁部に光量調節用の羽根部材を回動自在に１枚若しくは複数枚を設け、羽根部材が相互に擦れ合うことなく開閉するように構成する。
この場合に、羽根部材とこれを開閉する駆動装置とその伝動機構が新たに問題となり、従来例えば駆動モータと伝動歯車或いは伝動ベルトで羽根部材を開閉することが一般的であるが、歯車の場合にはバックラッシュの問題があり、伝動ベルトの場合には温度変化の問題が生ずる。
【０００６】
従って本発明は、投影光或いは撮影光の光路に光の進行方向と同一方向に開閉する光量規制羽根を正確に開閉制御することが可能でその駆動装置と伝動機構を比較的簡単な構造で安価である光量調整装置の提供をその課題としている。更に本発明は、光量規制羽根を開閉する際の動作音が小さく、しかも高速で開閉することが可能であり、その為の駆動装置を簡単な電磁駆動装置で構成することを課題としている。
【課題を解決するための手段】
【０００７】
本発明は上述の課題を解決するため以下の構成を採用したものである。
まず請求項１の発明は、投影光若しくは投影光などの光路を挟んで対向配置された一対の基板と、上記一対の基板に開閉自在に支持され、上記光路中の光量を規制する光量規制羽根と、上記光量規制羽根を開閉動する駆動手段とを備える。そして上記光量規制羽根は、少なくとも１枚の羽根部材で構成し、該羽根部材は上記一対の基板に回動可能に支持された回転支軸に上記光路中の光の進行方向と同一方向に開閉動するように支持する。また上記羽根部材の回転支軸には該回転支軸を揺動回転する受動アームを設け、上記駆動手段には駆動回転軸とこの駆動回転軸に連結された駆動アームを設ける。
【０００８】
そこで上記駆動アームは上記基板に往復動するように摺動可能に支持されたスライドプレートに一方に設けられたピン部材と他方に設けられたスリット溝とで駆動アームの回転でスライドプレートが略々直線運動するように係合連結し、このスライドプレートと上記受動アームとは、一方に設けられたピン部材と他方に設けられたスリット溝とでスライドプレートの直線運動で受動アームが回転するように係合連結する。これによって光量規制羽根を光路と直交する平面内で進退自在に構成する場合に比べ装置の省スペース化と小型化を図ることができる。
【０００９】
また、請求項２の発明は、請求項１の構成に於いて、上記光量規制羽根を、前記光路を分割する一対の羽根部材で構成し、この一対の羽根部材はそれぞれ前記基板に回動可能に支持された回転支軸に上記光路中の光の進行方向と同一方向に開閉動するように支持する。そして前記受動アームは上記羽根部材のそれぞれの回転支軸に設け、上記各受動アームと前記スライドプレートとは、それぞれの受動アームが相反方向に回転するように係合連結することによって上記一対の羽根部材はそれぞれの回転支軸を中心に相反方向に回動するように構成する。この様に一対の羽根部材をそれぞれ一枚の板部材で構成することにより更に装置の省スペース化と小型化を図るとともに、光量斑を防ぐことができる。
【００１０】
また、請求項３の発明は、前記スライドプレートは前記駆動アームに連結され相反方向に略々直線運動する２つのプレート部材で構成する。そして前記駆動アームと前記受動アームとはそれぞれ上記２つのプレート部材に距離を隔てた２点で係合連結され前記一対の羽根部材は前記回転支軸を中心に相反方向に開閉自在に構成する。これによってスライドプレートは駆動回転軸と回転支軸とに偶力が作用し回転が円滑で確実に作動することができる。
【００１１】
また請求項４の発明は、前記駆動手段を駆動回転軸と外周にＮ−Ｓ磁極を有する磁石ロータと、上記磁石ロータの外周に駆動磁界を生起する励磁コイルとから構成し、前記駆動アームは上記磁石ロータの駆動回転軸に設ける。駆動装置をこのように構成することによってステッピングモータに比べ安価で駆動制御が容易となる。
【００１２】
更に請求項５の発明は、映像を形成する像形成手段と、光源からの光を上記像形成手段に照射して投射する投影光路と、上記投影光路に配置され、該投影光路中の光量を規制する光量調整装置を備える。そして上記光量調整装置は請求項１乃至４の何れかの項に記載の構成で構成する。これによって請求項１と同様な結果を得ることが出来る。
【発明の効果】
【００１３】
本発明は、光路の上下若しくは左右に対向配置した一対の基板に少なくとも１つの光量規制羽根を光の進行方向と同一方向に開閉自在となるように回転支軸で取付け、この回転支軸を基板に摺動自在に配置したスライドプレートを介して駆動手段の駆動回転軸に連結したものであり、駆動回転軸には駆動アームを、回転支軸には受動アームをそれぞれ一体形成し、この駆動アームと受動アームとをスライドプレートに一方に設けたピン部材と他方に設けたスリット溝とでそれぞれ連結し、駆動アームの回転でスライドプレートを略々直線運動させ、受動アームで回転支軸の回転運動に変換するようにしたものであるから、これ等のスライドプレートも駆動アーム及び受動アームも耐熱性に富んだ材料で構成することが可能であり、歯車伝動機構のような動作音もバックラッシュなどのガタつきを生ずることがない。
【００１４】
また伝動機構を構成するスライドプレートは例えば基板に摺動自在に保持することによってスペースを要することがなく装置の小型化が可能である。更に、駆動装置としてはスライドプレートを所定量往復動すれば良く、マグネットロータとその周囲に励磁コイルを巻回したコイルステータで構成する所謂ガルバノメータの構造を採用することが可能となり、例えばステッピングモータに比べ安価で小型な駆動装置として構成することが出来る。
【発明を実施するための最良の形態】
【００１５】
以下本発明の好適な実施の形態について図面に基づいて説明する。図１はプロジェクタ装置のシステム構成を示す説明図であり、図２は本発明を用いたプロジェクタ装置の概略の構成図であり、図３は光量調整装置を上から見た平面図、図４はその分解斜視図からなる全体説明図で、図５は光量調整装置を作動する制御回路図である。
【００１６】
まず、図１に基づきプロジェクタ装置のシステム構成について説明するに、そのプロジェクタ装置への画像入力の方法としてはＲＧＢ信号、コンポーネント信号、ハイビジョン信号、ビデオ信号等があり、ＲＧＢ信号は例えばコンピュータの画像出力端子からプロジェクタ装置に信号を送る場合であり、コンポーネント信号はＤＶＤプレーヤ、ハイビジョン信号はハイビジョンテレビなどのチューナ、ビデオ信号はビデオデッキなどの出力端子とプロジェクタ装置とを接続する場合である。このようにプロジェクタ装置はコンピュータ装置、ＤＶＤプレーヤ装置、ハイビジョンチューナ装置、ビデオデッキ装置などの外部装置と接続され画像表示システムを構成し、その表示（投影）装置として使用される。
【００１７】
そこで本発明に係わる光量調整装置は図２に示すようにプロジェクタ装置に内蔵される。一般にプロジェクタ装置は、光源Ａと、この光源Ａからの光を平行光線に変換するコンデンサーレンズＢと、このレンズＢからの光を色光分離するダイクロイックミラーを含む照明光学系Ｄと、この照明光学系Ｄからの光を受ける液晶パネルＥと、この液晶パネルＥを通過した光を投写する投写レンズＦとから構成される。このように構成される投影光学系は種々の方法が知られ、光源部（光源Ａなど）と像形成部（液晶パネルＥなど）と投影部（投写レンズＦなど）とを適宜なレイアウト構成でケーシング内に組込んでプロジェクタ装置が構成される。例えばカラー画像の場合は光源からの光はＲＧＢ３原色に分光器で分光し、各液晶パネルに照射した後合成プリズムで合成して投射レンズでスクリーン上に投影するなど種々の構成が採用される。
【００１８】
このようなプロジェクタ装置に内蔵される光量調整装置Ｃは光源Ａから投射レンズＦとの間の光路Ｒに配置される。図示のものはコンデンサーレンズＢと照明光学系Ｄとの間に配置した場合であり、図３及び図４に基づいてその構造を説明する。光量調整装置Ｃは、上記プロジェクタ装置の投影光路（以下光路という）Ｒを挟んで対向する一対の基板１０ｂ、１０ｃを備える。この基板１０ｂ、１０ｃは光路Ｒの上下に対向配置しても、左右に対向配置してもいずれでも良く、図示のものは後述するカバーフレーム１０ａとともに光量調整装置Ｃのユニット枠組みを構成している。この基板はプロジェクタ装置の他のフレーム部材例えば光源ユニットのフレームで兼用しても良い。
【００１９】
この基板１０ａ、１０ｂは図４に示すように光路Ｒを形成する間隔でステム（支柱部材）で固定され、第１の基板１０ｂに間隔を隔ててカバーフレーム１０aが取付けてある。そして第１の基板１０ｂと第２の基板１０ｃの間に羽根部材と駆動装置３０が組み込まれ、第１の基板１０ｂとカバーフレーム１０ａとの間に伝動機構４０が組み込まれてユニットを構成している。
【００２０】
図示の基板１０ｂ、１０ｃ及びカバーフレーム１０ａは金属板（例えばアルミニウム合金）の薄板で構成され、プロジェクタ装置内の温度環境に耐える素材でその光路Ｒに応じた形状で形成される。そして、上記第１の基板１０ｂと第２の基板１０ｃの間に光路Ｒの中央部位を中心に左右対向する一対の羽根部材２１ａ、２１ｂが取付けられる。この左右の羽根部材２１ａ、２１ｂは図示回転支軸２２ａ、２２ｂで第１の基板１０ｂに、回転支軸２３ａ、２３ｂで第２の基板１０ｃにそれぞれ回動自在に軸支され、光路Ｒの光の進行方向と同一方向に回動するように構成されている。従って羽根部材２１ａ、２１ｂは光路Ｒ内で光を遮り、両羽根部材の先端縁で絞り開口Ｒ１を形成することとなる。このように羽根部材２１ａ、２１ｂは光路Ｒを挟んで対向するように互いに平行に配置され、その形状も開閉動作も左右対称に形成されている。
【００２１】
上記羽根部材２１ａ、２１ｂは樹脂フィルム材の打抜き成形或いは金属板（例えばアルミニウム合金）の薄板を打抜き形成によって形成する。図示のものは光源からの熱を考慮して耐熱性に富んだ素材、例えばアルミニウム合金で少なくとも光源に臨む表面を白色系の塗装による表面処理を施してある。尚、光量調整装置Ｃを投影レンズ内に配置する場合には反射防止効果の高い黒色系統の表面処理を施すことが好ましい。また、この羽根部材２１ａ、２１ｂの形状は光路Ｒの中心から左右及び上下にほぼ均一な開口が得られるように形成する。
【００２２】
つまり光路Ｒの中心がコンデンサーレンズＢ及び投写レンズＦの中心から割り出され、この光路Ｒの中心に対し左右及び上下にほぼ均一な開口を形成するように羽根部材２１ａ、２１ｂの形状を定める。図示のものは投影する映像が矩形状である為この羽根部材２１ａ、２１ｂの形状も矩形状に形成してある。そしてこの左右一対の羽根部材２１ａ、２１ｂは上述のように回転支軸２２ａ、２２ｂで第１の基板１０ｂに形成した軸受穴１０ｂ１、１０ｂ２に嵌合され、同様に回転支軸２３ａ、２３ｂで第２の基板１０ｃに形成した軸受穴１０ｃ１、１０ｃ２に嵌合されている。従って左右一対の羽根部材２１ａ、２１ｂは図３矢印方向（光の進行方向）に回転支軸２３ａ及び２３ｂを中心に回動して観音開き状に開閉することとなる。
【００２３】
前記第１の基板１０ｂには駆動手段３０が配置される。図示の駆動手段は駆動モータ３１で構成され、その駆動回転軸３３は羽根部材２１ａ、２１ｂの回転支軸２２（ａ、ｂ）、２３（ａ、ｂ）と略々平行となるように第１の基板１０ｂに取付けてある。従って光路Ｒに対し左右両側部に羽根部材２１ａ、２１ｂの回転支軸２２（ａ、ｂ）、２３（ａ、ｂ）が平行に配置され、この両支軸に対して駆動回転軸３３が平行となるように駆動モータ３１が配置されることとなる。
【００２４】
図示の駆動モータ３１は、ステッピングモータなどの一般的な電磁駆動モータ構成しても良いが、図示のものはガルバノメータとして知られる構成を採用している。その構成は例えば、外周にＮ−Ｓ磁極を有する磁石ロータと、この磁石ロータを回動自在に軸支して覆うコイル枠に励磁コイルを巻回し、所定角度範囲内で磁石ロータを揺動回転させるようにする。このように駆動モータを所定角度範囲で揺動駆動するガルバノメータ構造とすることによって駆動モータを安価で小型に構成することが出来る。また、前記励磁コイルには後述する制御回路Ｄが電気的に接続され、その励磁コイルへの供給電流の方向を光量調節に応じて切り替えることで前記磁石ロータを所定角度範囲で往復揺動するように構成され、その制御も簡単な構成となっている。
【００２５】
そこで上記磁石ロータには、その駆動回転軸３３に駆動アーム３４が一体に取付けてあり、この駆動アーム３４にはピン部材３５、３６（以下駆動ピンという）が設けてある。また前記基板１０ｂには、スライドプレート４０ａ、４０ｂが略々直線的に往復動するように摺動自在に支持されている。図示のものは一対のスライドプレート４０ａ、４０ｂには適宜数カ所にガイド溝が形成され、第１の基板１０ｂに一体成形したボス状突起に嵌合支持され、略々直線方向に往復動可能に支持されている。そして前記駆動モータ３１の回転軸３３に設けた駆動アーム３４により往復駆動される。つまり前記駆動アーム３４の駆動ピン３５、３６とスライドプレート４０ａ、４０ｂのスリット溝４１、４２とは駆動アーム３４の回転でスライドプレート４０ａ、４０ｂが略々直線運動するように係合連結されている。
【００２６】
一方、前記羽根部材２１ａ、２１ｂにはその回転支軸２２ａ、２２ｂにそれぞれ受動アーム２４ａ、２４ｂが設けられている。この受動アーム２４ａ、２４ｂは回転支軸２２ａ、２２ｂを中心に揺動自在に構成され、その両端部にはピン部材２５ａ、２５ｂ及び２６ａ、２６ｂが植設されている。そしてこの各ピン部材は前記スライドプレート４０ａ、４０ｂのスリット溝４３ａ、４３ｂおよび４４ａ、４４ｂに嵌合されて連結してある。従って、前記スライドプレート４０ａ、４０ｂの直線運動で受動アーム２４ａおよび２４ｂは互いに相反する方向に回転するようになっている。尚、本発明にあって上記ピン部材２５（ａ、ｂ）、２６（ａ、ｂ）とスリット溝４３（ａ、ｂ）、４４（ａ、ｂ）との嵌合構造は、受動アーム２４ａ、２４ｂ及び駆動アーム３４とスライドプレート４０ａ、４０ｂとの一方にピン部材を、他方にスリット溝を設ければ良く、図示のものと逆の構成とすることが可能なことは勿論である。
【００２７】
このように光路Ｒと直交する平面内に左右一対の回転支軸２２ａ、２２ｂ及び２３ａ、２３ｂと駆動回転軸３３とをそれぞれ距離を隔てて並列に配置したのは各構成部品の吊めるスペースを出来るだけ小さくして装置を小型にするように割り出した配置であり、光路Ｒの形状に合わせてこれ等を略々並列に配置すれば良い。
【００２８】
そこで上述の駆動回転軸３３と羽根部材２１ａ、２１ｂの一対の回転支軸２２ａ、２２ｂ及び２３ａ、２３ｂとを連結する伝動機構の動作について説明する。まず駆動モータ３１の駆動回転軸３３が回転すると、その駆動回転軸３３の回転で駆動アーム３４が図３の状態で駆動回転軸３３を中心に時計方向に回動する。この駆動アーム３４の回転によりスライドプレート４０ａ、４０ｂがスライド移動し、このスライドプレート４０ａ、４０ｂの移動に同期して受動アーム２４ａ、２４ｂが図示の様に矢印で示す相反方向に揺動する。この受動アーム２４ａ、２４ｂの回動に伴って一対の回転支軸２２ａ、２２ｂを中心として揺動自在に基板１０ｂ、１０ｃの軸受穴１０ｂ１、１０ｃ１及び１０ｂ２、１０ｃ２に軸支された一対の羽根部材２１ａ、２１ｂが光路Ｒを全開する位置に退避する。
【００２９】
逆に、駆動モータ３１の駆動回転軸３３を逆回転すると、その駆動回転軸３３の回転で駆動アーム３４が図３の状態において駆動回転軸３３を中心に反時計方向に回動する。この駆動アーム３４の回転によりスライドプレート４０ａ、４０ｂがスライド移動し、このスライドプレート４０ａ、４０ｂの移動に同期して受動アーム２４ａ、２４ｂが図示矢印とは逆の互いに相反方向に揺動する。この受動アーム２４ａ、２４ｂの回動に伴って一対の回転支軸２２ａ、２２ｂを中心として揺動自在に基板１０ｂ、１０ｃの軸受穴１０ｂ１、１０ｃ１及び１０ｂ２、１０ｃ２に軸支された一対の羽根部材２１ａ、２１ｂが光路Ｒに最も進入した閉鎖する位置に移動し、光路Ｒを通過する光量を調整する。
【００３０】
従って一対の羽根部材２１ａ、２１ｂが光路Ｒと略直交する絞り位置で光路Ｒは最小口径に絞られ通過する光量が最少となり、羽根部材２１ａ、２１ｂが光路Ｒの進行方向と略平行な退避位置で光路Ｒは最大口径となり、通過する光量が最大となる。そこで回転支軸２２ａ、２２ｂ及び２３ａ、２３ｂをそれぞれ９０度範囲で段階的に回動すれば光路Ｒの光量を調節することが可能となる。
【００３１】
次に図５により光量調整装置Ｃを駆動制御する光量調節回路Ｄについて説明する。
図中、ＩＮはプロジェクタ装置のコントロール回路（図示せず）から出力された光量調節信号の入力端子、ＯＵＴは光量調整装置Ｃの作動時の光量調節レベルに応じた光量調節レベル信号の出力端子、＋Ｖは光量調節回路Ｄの印加電圧、Ｇは接地端子、Ｑ１乃至Ｑ３は作動増幅器、ＨＳは図４で示した光量調整装置Ｃにおける駆動モータ３１のマグネットロータ（図示せず）に対峙した位置に配設され該マグネットロータの回転位置を磁気特性の変化により光量調節位置を検知するホール素子、Ｌ１は図５で説明した駆動コイル、Ｌ２は制動コイル、Ｃ０は前記駆動コイルＬ１の両端間に接続され駆動コイルＬ１への駆動電流供給開始直後の変化を抑え光量調整装置Ｃの光量調節速度を落すためのコンデンサＣ０（バイパスフィルタ／ハイパスフィルタ）である。尚、他の抵抗、コンデンサについては光量調節回路Ｄを適正に作動させるように個々に適宜配置すれば良い。
【００３２】
そして、その光量調整装置Ｃの駆動制御について説明すると、まずプロジェクタ装置のコントロール回路から投影する画像の光量を調整するための光量調節信号が入力端子ＩＮに入力される。一方、ホール素子ＨＳによりその時点での光量調整装置Ｃを駆動する駆動モータ３１の回転位置に応じた光量調節レベル信号が検出され作動増幅器Ｑ３で増幅され出力されている。この結果、この二つの光量調節信号と光量調節信号とが回路点Ｅ１において比較され、その電位差により作動増幅器Ｑ１及び作動増幅器Ｑ２の電位差分に相当する正負いずれかの駆動電流が駆動コイルＬ１に流れ図４の駆動モータ３１が回転される。この際に、制動コイルＬ２に駆動モータ３１のマグネットロータの回転に伴って変化する磁気特性により、その変化量に応じた制動電流が制動コイルＬ２に流れマグネットロータの回転に制動をかけると共に、ホール素子ＨＳの検出出力を変化し、先の回路点Ｅ１の電位差が無くなったところで駆動モータ３１の回転が停止し適正な光量調節が行なわれる。
【００３３】
この駆動に際し、駆動コイルＬ１の両端間に接続されたコンデンサＣ０（バイパスフィルタ／ハイパスフィルタ）により駆動コイルＬ１への駆動電流供給開始直後の変化が抑えられることによって、駆動開始直後のみ駆動モータ３１の回転が抑えられ光量調整装置Ｃの光量調節速度が減速させられることから、動き始めの連結部のガタ付きや衝撃等により発生する騒音が軽減される。
【００３４】
以上説明した光量調整装置Ｃを図２に示すプロジェクタ装置に採用した場合の光量制御について説明する。前述の光量調節手段は使用する環境の明るさに応じて光量を調整するように制御する場合、或いは連続する投影画像の輝度変化或いはコントラスト調整に応じて制御する場合がある。前者の環境の明るさに応じて光量調節をする場合はプロジェクタ装置にラインセンサ、ＣＣＤセンサ、などの光電センサを設けて外部光を検出する。この光電センサの取付位置はプロジェクタ装置の外崖ケースにセンサを取付けて部屋の明るさを検出するか、予め定めた輝度のテスト画像をスクリーンに投射し、スクリーンから反射した光をプロジェクタ装置に内蔵した光電センサで検出するかいずれかの方法を採る。また、リアプロジェクションＴＶの場合は画面裏側に光電センサを配置すれば良い。
【００３５】
そして光電センサで電気的に検出した光量に基づいて光量調節する。この光量調節は例えば外部光の検出値と予め定めた基準値とを比較しＣＰＵなどの演算回路で光量の絞り量を算出して光量調節信号を光量調整装置Ｃに伝達する。一方、投影画像の輝度変化に応じて光量調節する場合は例えば前述の像形成部に伝達される画像信号から輝度を算出し基準値と比較して光量調節信号を光量調整装置Ｃに伝達して所定の位置に羽根部材２１ａ、２１ｂが移動する。
【００３６】
以上説明した図示構造の光量調整装置Ｃでは次の特徴がある。光路Ｒを挟んで対向配置される一対の基板１０ｂ、１０ｃは、光路の上下若しくは左右で光路中の光が照射されない位置に配置されるため光源からの熱を直接受けることがなく、基板自体或いはこれに配置される駆動手段（駆動モータ）及びその伝動機構（スライドプレート）が熱によって変形する恐れが少ない。同様に、駆動モータ３１の回転はスライドプレート４０ａ、４０ｂを介して羽根部材２１ａ、２１ｂの回転支軸２２（ａ、ｂ）、２３（ａ、ｂ）に伝達されるため、スライドプレート４０ａ、４０ｂが光源からの熱で変形することが少なく、常に安定した開閉角度に羽根部材を制御することが出来る。更に、スライドプレート４０ａ、４０ｂは加工精度に富み及び温度変化の少ない材料で構成することが可能となり光源からの熱で装置内が高温となる場合にもその影響を受けることが少ない。また、駆動手段３０としては、前述のようにガルバノ構造が採用可能となり、小型で安価に構成することが出来る。
【００３７】
また、羽根部材２１ａ、２１ｂは光路Ｒに対し、光の進行方向に扉状に開閉することとなり、開閉スペースを光路の外周に配置する必要がなく省スペースに構成することが出来る。同時に羽根部材２１ａ、２１ｂは開閉時に羽根相互が擦れ合うことがなく動作音を発することなく高速で開閉できる。尚、図示の実施形態でスライドプレート４０ａ、４０ｂを一対設けたのは動作時、特に駆動アーム３４及び受動アーム２４ａ、２４ｂに作用する力のバランスを考慮したものであり、これにより駆動回転軸３３及び回転支軸２２（ａ、ｂ）、２３（ａ、ｂ）は振動など不安定な回転動作をすることがない。
【図面の簡単な説明】
【００３８】
【図１】本願発明に係わるプロジェクタ装置のシステム構成を示す説明図。
【図２】本願発明に係わるプロジェクタ装置の概略構成図。
【図３】本願発明に係わる光量調整装置のレイアウト説明図。
【図４】図３の装置における組立分解斜視図。
【図５】本願発明に係る光量調整装置を駆動する光量調節回路図。
【符号の説明】
【００３９】
１０ａ  カバーフレーム
１０ｂ  基板（第１の基板）
１０ｃ  基板（第２の基板）
２１ａ、２１ｂ  羽根部材
２２ａ、２２ｂ  回転支軸
２３ａ、２３ｂ  回転支軸
２４ａ、２４ｂ  受動アーム
３０  駆動手段
３１  駆動モータ
３３  駆動回転軸
３４  駆動アーム
４０ａ、４０ｂ  スライドプレート
Ｒ  光路
【図１】
2007079305.tif 000003
【図２】
2007079305.tif 000004
【図３】
2007079305.tif 000005
【図４】
2007079305.tif 000006
【図５】
2007079305.tif 000007